(57)【要約】      （修正有）【課題】電子式電力量計のパルス信号発信部と安定的に接触し、かつ試験の作業負担を大幅に軽減する電気接続用コネクタ、及び該電気接続用コネクタを備える結線装置を提供する。【解決手段】所定深さの溝と被覆部材５１２とにより形成される貫通路が設けられる基部５１０と、前記貫通路にスライド移動可能な状態で納められるスライド部５２０とを備え、前記スライド部５２０は、その端部から外部に露出するよう取り付けられる電気接触子５２２を有することを特徴とする。【選択図】図４
0003176217.tif 000002
【実用新案登録請求の範囲】
【請求項１】
外部物品との電気的接続を可能にする電気接続用コネクタであって、
貫通路が設けられる基部と、
前記貫通路にスライド移動可能な状態で納められるスライド部とを備え、
前記スライド部は、
その端部から外部に露出するよう取り付けられる電気接触子を有することを特徴とする電気接続用コネクタ。
【請求項２】
前記貫通路は、所定深さの溝と被覆部材とにより形成される請求項１に記載の電気接続用コネクタ。
【請求項３】
前記電気接触子が、階段状に屈曲する形状を有する請求項１又は２に記載の電気接続用コネクタ。
【請求項４】
前記電気接触子が、りん青銅線である請求項１から３のいずれか一項に記載の電気接続用コネクタ。
【請求項５】
請求項１から４のいずれか一項に記載の電気接続用コネクタを備える結線装置。
【考案の詳細な説明】
【技術分野】
【０００１】
本考案は、外部物品との電気的接続を可能とする電気接続用コネクタ、及び該電気接続用コネクタを備え、電力量計の性能試験の際に、電力量計と試験装置とを結線する結線装置に関する。
【背景技術】
【０００２】
一般住宅、店舗、工場等の建物には、消費電力量を計測する電力量計が設置されているが、電力会社から請求される電力料金は、電力量計が計測した消費電力データに基づいて計算される。そのため、電力量計において、消費電力の計測が正確に出来ていないと、電力料金の計算も誤ったものとなってしまう。そのような事態を回避するため、流通前の電力量計に関して、正確な動作が担保されているか否かを確認する試験が行われている。
【０００３】
上述の試験方法としては、試験対象となる電力量計の電流端子及び電圧端子と、試験装置とを電気的に接続し、試験装置側に備わる電源を駆動させて、電力量計に試験用の電力を供給した後、試験装置から供給された電力量データと、電力量計において計測された電力量データとを比較する手法が採られる。ここで、電力量計の端子と試験装置との接続には、専用の結線装置が用いられる。
【０００４】
この試験で計測する電力量計での計測データは、計測電力量に応じたパルス信号を発するパルス信号発信部を介して抽出される。パルス信号発信部は、電力量計の所定箇所に設けられる。具体的には、このパルス信号発信部と外部の電力量計測装置とを、所定の電気接続手段により接続し、パルス信号発信部からの電力量計測データ信号が、電力量計測装置に送信される。この送信信号に基づいて、例えば、電力量計測装置のデータ表示部に電力量計の計測データが示され、試験作業者がそれを視認する形でデータの比較が行われる。
【０００５】
上記電気接続手段としては、様々なものが考えられるが、一端に鰐口クリップが設けられたケーブルを用いる場合が多い。具体的には、このケーブルの他端と電力量計測装置とを接続する一方、鰐口クリップに導電性の針状物を挟持させて、針状物と電力量計のパルス信号発信部とを接触させ、パルス信号発信部と電力量計測装置とを接続する。この鰐口クリップに関する技術として、下記特許文献に記載の技術が開示されている。
【先行技術文献】
【特許文献】
【０００６】
【特許文献１】特開２００３−０３６９０５号公報
【特許文献２】特開２０１０−１８２４５９号公報
【特許文献３】特開２０１１−０９０８８２号公報
【考案の概要】
【考案が解決しようとする課題】
【０００７】
しかしながら、上記特許文献に記載のような鰐口クリップに針状物を挟持させる場合、針状物を一定姿勢に支持することが難しく、パルス信号発信部との接触が不安定となる。そのため、パルス信号発信部から電力量計測装置への信号伝送過程で不具合が生じ、正確な計測データが得られないという課題を有する。また、試験が終了して別の電力量計の試験に移る際、試験作業者は、パルス信号発信部と針状物とを接触させるために、再度、鰐口クリップを適切な位置に配置しなければならず、作業コストの面でも負担が生じる。
【０００８】
上記課題に鑑み、本考案は、電力量計に設けられるパルス信号発信部の端子と安定的に接触可能で、かつ試験作業における負担を大幅に軽減することが可能な電気接続用コネクタ、及び該電気接続用コネクタを備える結線装置を提供することを目的とする。
【課題を解決するための手段】
【０００９】
前記課題を解決するための本考案に係る電気接続用コネクタは、
貫通路が設けられる基部と、
前記貫通路にスライド移動可能な状態で納められるスライド部とを備え、
前記スライド部は、
その側端部から外部に露出するよう設けられる電気接触子を有することを特徴とする。
また、前記貫通路は、所定深さの溝と被覆部材とにより形成されることが好ましい。
さらに、前記電気接触子は、階段状に屈曲する形状であることが好ましく、りん青銅線であることが好ましい。
さらに、本考案に係る結線装置は、前記電気接続用コネクタを備えることを特徴とする。
【考案の効果】
【００１０】
本考案によれば、電気接触子が、パルス信号発信部との接触の際、スライド部によって一定姿勢で支持されている。そのため、本考案に係る電気接続用コネクタは、両者を常時、安定的に接触させることができる。また、電気接触子として、りん青銅の導線を用いた場合、弾性を有するりん青銅の性質によって、電気接触子とパルス信号発信部との接点（接面）が離れにくい状態となり、より安定な接触が可能となる。さらに、本考案に係る結線装置は、上記電気接触子を備える電気接続用コネクタを有するため、電力量計の性能試験の信頼性を向上させることができる。
【図面の簡単な説明】
【００１１】
【図１】本考案の実施形態に係る結線装置の正面図。
【図２】本考案の実施形態に係る結線装置の側面図。
【図３】電子式電力量計１０００が連結された状態の結線装置の正面図。
【図４】電子式電力量計１０００が連結される前後の結線装置の側面図。
【図５】電気接続用コネクタの正面図、側面図、上面図。
【図６】電気接続用コネクタの分解斜視図。
【図７】電気接触子とパルス信号発信部とが接触した状態を示す結線装置の斜視図。
【考案を実施するための形態】
【００１２】
以下、図面を参照して本考案の望ましい実施形態を詳細に説明する。但し、本考案は多くの異なる態様で実施することが可能であり、以下に示す実施の形態の記載内容に限定して解釈されるものではない。
【００１３】
図１は、本考案の実施形態に係る結線装置の正面図、図２は、本考案の実施形態に係る結線装置の側面図、図３は、電子式電力量計１０００が連結された状態の結線装置の正面図である。図１から図３に示すように、結線装置１０は、電力量計載置部１００、電流端子接触部２００、電圧端子接触部３００、電力量計係止機構４００、電気接続用コネクタ５００、等を備える構成である。
【００１４】
電力量計載置部１００は、試験対象の電子式電力量計１０００の背面と接触して、該電子式電力量計１０００を載置・支持するための部材である。図１から図３に示すように、本実施形態では、電力量計載置部１００として板状の部材を用いているが、上述のように電子式電力量計１０００を載置・支持可能なものであれば、形状・材質等について特に限定されない。
【００１５】
電流端子接触部２００は、一端が、電子式電力量計１０００の電流端子１１００と接触すると共に、他端が、導線を介して試験装置（図示しない）の電源と接続する。これにより、電流端子接触部２００を介して、試験装置の電流が、電子式電力量計１０００に流される。本実施形態では、電子式電力量計１０００の電流端子１１００の設置位置に対応するよう、電流端子接触部２００は、後述する電力量計係止機構４００に１つ、結線装置１０の下端（図１・図３の下側）に設けられる台座６００に２つ、それぞれ配設される。
【００１６】
電圧端子接触部３００は、一端が、電子式電力量計１０００の電圧端子１２００と接触し、他端が、導線を介して試験装置（図示しない）の電源と接続する。これにより、電圧端子接触部３００を介して、試験装置からの電圧が電子式電力量計１０００に印加される。本実施形態では、電子式電力量計１０００の電圧端子１２００の設置位置に対応するよう、電圧端子接触部３００は、後述する電力量計係止機構４００に２つ、結線装置１０の下端（図１の下側）に設けられる台座６００に１つ、それぞれ配設される。
【００１７】
電力量計係止機構４００は、電子式電力量計１０００を電力量計載置部１００の所定位置に係止するための機構である。本実施形態では、電力量計係止機構４００として、トグルクランプを用いている。この電力量計係止機構４００は、電子式電力量計１０００を所定位置に係止するための電力量計係止部４１０と、電力量計係止部４１０を昇降させるためのトグル機構４２０とを備える構成である。トグル機構４２０は、二つのリンク４２１、４２２及びレバー４２３を含む。レバー４２３は、前記電力量計係止部４１０の昇降操作の際に利用される。
【００１８】
図４に示すように、立ちあがった状態のレバー４２３を押し下げると、トグル機構４２０の作用によって、電力量計係止部４１０が降下する。それにより、電力量計係止部４１０が電力量計載置部１００に近接し、電流端子接触部２００と電子式電力量計１０００の電流端子１１００とが当接する。同様に、電圧端子接触部３００と電圧端子１２００とが当接する。このとき、電子式電力量計１０００は、電流端子接触部２００、電圧端子接触部３００からの押圧力により、図４の矢印の方向に押さえ付けられる。これにより、電子式電力量計１０００が、電力量計載置部１００の所定位置に係止される。同時に、電子式電力量計１０００と試験装置とが、電気的に接続された状態となる。
【００１９】
電気接続用コネクタ５００は、電子式電力量計１０００のパルス信号発信部１３００と、別途外部に設けられる電力量計測装置（図示しない）とを電気的に接続するためのものである。本実施形態では、電気接続用コネクタ５００は、台座６００の面６０１上に配置される。電気接続用コネクタ５００の構造について、図５及び図６を参照して説明する。
【００２０】
図５（ａ）は、電気接続用コネクタ５００の正面図、図５（ｂ）は、電気接続用コネクタ５００の側面図、図５（Ｃ）は、電気接続用コネクタ５００の上面図である。また、図６は、電気接続用コネクタ５００の分解斜視図である。図５及び図６に示すように、電気接続用コネクタ５００は、基部５１０と、スライド部５２０とを含む構成である。
【００２１】
基部５１０は、図５、図６に示すように、所定深さの溝５１１と、溝５１１を覆う被覆部材５１２とを備えることが好ましい。また、この溝５１１と被覆部材５１２とにより、前述のスライド部５２０を図５（ａ）の上下方向に移動可能な状態で納める貫通路５１３が形成される。
【００２２】
ただし、貫通路５１３の形成に、被覆部材５１２を用いるか否かは任意である。被覆部材５１２を用いない形態としては、上部開口の溝５１１を設けず、基部５１０の一側面から、それと対面する他の側面にかけて、直接貫通路５１３を形成させるような形態が考えられる（このときの基部５１０の上面は、平の状態。）。しかしながら、スライド部５２０の高さが、図５（Ｃ）に示す寸法ｈ以上であると、上記の貫通路５１３では、スライド部５２０が収まらない。そのため、この場合には、基部５１０の上面の所定箇所を台状に盛り上げ、そこに生まれた領域を利用して、貫通路５１３を形成させる形態が考えられる。
【００２３】
一方で、スライド部５２０の側端部５２０Ａには、電気接触子５２２が、外部に露出するよう配設される。電気接触子５２２の端面５２２Ａは、スライド部５２０が前方（図５（ａ）の上方）に移動した際、電子式電力量計１０００のパルス信号発信部１３００と接触する。この電気接触子５２２と、有線又は無線の情報伝送手段（本実施形態では、図５（ａ）、（ｂ）に示す、有線ケーブル５３０）とが接続され、パルス信号発信部１３００から外部の電力量計測装置（図示せず）に、試験時に計測された電力量に関するデータが送られる。
【００２４】
電気接触子５２２の形状は、パルス信号発信部１３００と接触可能なものであれば、特に限定されるものではないが、図５（ｂ）に示すように、２箇所で略直角に屈曲する階段状の形状とすることが好ましい。このような形状とすることで、電気接触子５２２の端面５２２Ａが、パルス信号発信部１３００とほぼ平行となって接触し、両者の接触面積を最も広くすることができる。
【００２５】
また、電気接触子５２２の材料は、導電性を有するものであれば特に限定されないが、導電性及び弾性を有するりん青銅であることが好ましい。りん青銅の弾性により、パルス信号発信部１３００と隙間なく接触する。すなわち、電気接触子５２２の端面５２２Ａと、パルス信号発信部１３００とが、面状に接触する。
【００２６】
スライド部５２０は、さらに、摘み５２１を備える構成であってもよい。この摘み５２１は、スライド部５２０を前後（図５（ａ）の上下方向）に移動させる際に使用される。本実施形態では、図５（ａ）及び図６に示すように、被覆部材５１２に縦長孔５１６を設け、そこに摘み５２１を通して、スライド部５２０と摘み５２１とを連結させる構成とした。
【００２７】
電気接触子５２２とパルス信号発信部１３００との接触又は切り離しは、図７に示すように、貫通路５１３に収められたスライド部５２０を前後（図５（ａ）の上下方向）に移動させることにより行う。このように、電気接触子５２２とパルス信号発信部１３００との接触を、スライド部５２０を移動させる作業のみで行うことができるため、鰐口クリップ付きケーブル等の電気接続手段を用いる場合と比べて、電子式電力量計１０００の試験における作業コストを大幅に軽減させることができる。
【００２８】
また、電気接続用コネクタ５００に、スライド部５２０の位置固定手段を設ければ、電気接触子５２２とパルス信号発信部１３００との接触後、スライド部５２０を所定位置で固定できる。そのため、外部の電力量計測装置（図示しない）へ計測電力量データを伝送する際、電気接触子５２２とパルス信号発信部１３００との接点箇所がずれるなどの不具合を防ぐことができる。
【００２９】
従って、このような電気接続用コネクタ５００を備える結線装置１０で電子式電力量計１０００の性能試験を行う場合、試験に係る作業コストを低減できるとともに、電力量計測装置において信頼性の高い電力量計測データを得ることができる。
【００３０】
なお、上記位置固定手段として、本実施形態では、ボールプランジャ（図示しない）及びこのボールプランジャの金属玉５１５を受ける金属玉受け部５２３を用いる構成とした。具体的には、基部５１０の両側面５１０Ａ、５１０Ｂから溝５１１にかけて貫通する貫通孔５１４Ａ、５１４Ｂを設け、そこにボールプランジャが配設される一方、スライド部５２０の両側面上にそれぞれ金属玉受け部５２３Ａ、５２３Ｂを設けた。これにより、スライド部５２０の移動によって、金属玉受け部５２３Ａ、５２３Ｂがボールプランジャの位置まで到達すると、ボールプランジャの金属玉５１５が金属玉受け部５２３Ａ、５２３Ｂに嵌り込み、スライド部５２０の移動が阻止される。その結果、スライド部５２０の位置が固定される。
【００３１】
上述のように、電気接続用コネクタ５００は、パルス信号発信部１３００と電力量計測装置との接続のために用いられるものとして説明したが、それ以外の物品（装置）間の電気的接続のために用いてもよいことはもちろんである。
【符号の説明】
【００３２】
１０        結線装置
１００      電力量計載置部
２００      電流端子接触部
３００      電圧端子接触部
４００      電力量計係止機構
５００      電気接続用コネクタ
５１０      電気接続用コネクタの基部
５２０      電気接続用コネクタのスライド部
５２２      電気接触子
１０００    電子式電力量計
１１００    電子式電力量計に設けられる電流端子
１２００    電子式電力量計に設けられる電圧端子
１３００    電子式電力量計に設けられるパルス信号発信部
【図１】
0003176217.tif 000003
【図２】
0003176217.tif 000004
【図３】
0003176217.tif 000005
【図４】
0003176217.tif 000006
【図５】
0003176217.tif 000007
【図６】
0003176217.tif 000008
【図７】
0003176217.tif 000009